【事件の表示】
　平成１１年特許願第１５２４７７号「パチンコ機」拒絶査定不服審判事件〔平成１１年１２月２１日出願公開、特開平１１−３４７２４０〕について、次のとおり審決する。
【結　論】
　本件審判の請求は、成り立たない。
【理　由】
１．手続きの経緯、本願発明
　この出願は、平成２年６月８日に出願された特許出願（特願平２−１５０８５４号）の一部が特許法第４４条の規定により新たな特許出願（特願平９−１６６６１３号）とされ、この新たな特許出願の一部が同規定により新たな特許出願（特願平１１−１５２４７７号）とされたものであって、平成１４年８月２２日付で拒絶査定され、同年１０月３日に審判請求され、同年同月１０日に補正され、当審による平成１８年２月７日付拒絶理由通知に対して応答する平成１８年４月７日付手続補正書により明細書全文が補正されたものであって、その請求項１にかかる発明は、平成１８年４月７日付手続補正書によって補正された明細書及び図面の記載からみて、本願の特許請求の範囲の請求項１に記載されたとおりの次のものと認める。
　
　請求項１（以下本願発明１という。）
「【請求項１】 
　入賞口への入賞球に基づく賞球および球貸スイッチの操作に基づく貸出球の排出装置を作動させる本体制御装置と、残金が記憶されたカードの読み取り書き込みを行うカードリードライター及び前記球貸スイッチが電気的に接続されるリードライター制御装置との間で互いに交信し、背面に設けられた前記排出装置から貸出球の排出を行うように電気的に接続したパチンコ機において、
　前記本体制御装置は、前記球貸スイッチをオンとすることで記憶されている球貸記憶数情報、前記カードリードライターにより読み取られた前記カードの残金及び貸出球の排出中でないことを確認後、球貸要求信号の送信を行った後、前記球貸記憶数情報及びカードの残金の数値が減算されるリードライター制御装置から送信される球貸要求信号を受信することにより、前記排出装置を作動させて前記貸出球の排出を行い、排出終了後に前記リードライター制御装置へ貸出球の排出が終了したことを送信することを特徴とするパチンコ機。」
　　
２．引用刊行物
第１引用例：
特開昭６３−１０２７８３号公報（当審における平成１８年２月７日付拒絶理由（２９条２項）における第１引用例）
　
第２引用例：
実願昭６２−１４００４７号（実開昭６４−４６０８７号）のマイクロフィルム（同上第２引用例）
　
第３引用例：
実願昭６２−１５４１４６号（実開平１−５９１８３号）のマイクロフィルム（同上第３引用例）
　
第４引用例：
特開昭６１−８５９７４号公報（同上第４引用例）
　
第５引用例：
特開平１−２２１１８７号公報（同上第５引用例）
　
第６引用例：
特開平１−２８０４８９号公報（同上第６引用例）
　
第７引用例：
特開昭６３−３０９２８７号公報（同上第７引用例）
　
第８引用例：
特開昭６３−１９２４７７号公報（同上第８引用例）
　
（２−１）「第１引用例」
　当審における拒絶理由で引用した引用例１（特開昭６３−１０２７８３号公報、以下、「第１引用例」という。）には、図面とともに、次の事項が記載されている。
　
（記載００．）「カード挿排口とカード読取装置と金額表示器を少なくとも有する球貸機能部をパチンコ機或いはその近傍に配設し、該球貸機能部の少なくともカード読取装置と金額表示器を電気的制御装置に接続するとともに、該電気的制御装置を当該パチンコ機の球排出装置の制御装置に接続し、上記球貸機能部のカード挿排口にカードが挿入され、或いは遊技中における入賞にもとづいて上記球排出装置を作動して球を当該パチンコ機前面の受皿に排出するようにしたことを特徴とするパチンコ機のカード式球貸機構。」（第１頁左下欄「特許請求の範囲」）
　
（記載０１．）「＜従来の技術＞　周知のように、従来の球貸機は、硬貨投入口と球排出装置を少なくとも有し、パチンコ機とパチンコ機との間に設置したり、或いはパチンコ機とは全く別個に設置されている。また、賞品球として遊技者にパチンコ球を払い出すための球排出装置はパチンコ機の裏側に設置されており、球貸機として遊技者にパチンコ球を貸し出すための球排出装置は球貸機の裏側に設置されており、この様に２つの球排出装置が必要であった。」（第1頁右下欄第４−１３行）
　
（記載１．）「本発明は上記に鑑み提案されたもので、カード挿排口とカード読取装置と金額表示装置を少なくとも有する球貸機能部をパチンコ機或いはその近傍に配設し、該球貸機能部の少なくともカード読取装置と金額表示器を電気的制御装置に接続するとともに、該電気的制御装置を当該パチンコ機の球排出装置の制御装置に接続したものである」（第２頁左上欄第１−７行）
　
（記載２．）「各球貸機能部２の電気的制御装置（図示せず）を対応するパチンコ機の球排出装置４の制御装置（図示せず）に電気的に接続するとともに、伝送路５を介して管理室内に設置してある中央管理装置（図示せず）に電気的に接続する。　球貸機能部２は、前面に上から球貸出中表示器６、カード挿排口７、金額表示器８、アラーム表示器９、金額選択操作部１０を設け、内部にはカード読取装置１１と上記電気的制御装置を設け、該電気的制御装置にカード読取装置１及び上記した球貸出中表示器６，金額表示器８，アラーム表示器９，金額選択操作部１０等を電気的に接続してある。」（第２頁右上欄第１−１４行）
　
（記載３．）遊技者がカード発行機に投入した貨幣の金額は、本実施例ではカードに書き込んだカード識別情報に対応させて中央管理装置の記憶部内に記憶されるように構成してある。したがって、遊技者がカード発行機に貨幣を投入し、所望する金額を選択釦等により選択すると、中央管理装置の記憶装置内に当該選択した金額がカード識別情報とともに記憶され、カード発行機からは上記カード識別情報が書き込まれたカード２１が排出される。遊技者はこのカード２１を取得して自分の好みのパチンコ機１を選択し、当該パチンコ機１の球貸機能部２のカード挿排口７にカード２１を挿入する。」（第２頁左下欄第１７行−右下欄第１０行）
　
（記載４．）「電気的制御装置は、中央管理装置からのデータ要求信号が当該パチンコ機１の自局アドレスと一致すると、自局アドレスにカード２１のカード識別情報を付加して中央管理装置に送る。中央管理装置は、当該パチンコ機１からの信号を受信すると、記憶装置内のカード識別情報を検索し、一致した場合にはそのカード識別情報に対応した記憶内容、即ちそのカード２１の残高を読み出して上記パチンコ機１に送る。中央管理装置からそのカード２１の残高を受信すると、電気的制御装置が金額表示器８にその金額を表示する。遊技者が金額表示器８の表示を確認し、金額選択操作部１０を操作することにより所望する金額を選択すると、電気的制御装置が当該パチンコ機１の球排出装置４を作動して、遊技者が選択した金額に対応した数量の球を該パチンコ機１前面の受皿２５に排出させる。」（第３頁左上欄第１１行−右上欄第７行）
　
（記載５．）「この様にして遊技者の所望する金額分の球が受け皿２５に排出されると、これに伴って電気的制御装置の演算手段が作動し、排出した球に相当する金額を減算し、残高を金額表示器８に表示する。また、この残高は、中央管理装置に送られ、当該カード２１のカード識別情報と共に記憶装置内に記憶される。」（第３頁右上欄第１８−左下欄第４行）
　
（記載５．５．）「また、上記した球排出装置４は、遊戯中に打球が入賞口に入る等して入賞態様が形成されると、電気的制御装置からの信号を受けて作動し、入賞態様に対応する数、例えば１３個の球を流下し、受け皿２５に賞球として排出する。このように、本発明においては、球貸出排出と賞球排出とを１つの排出装置４で行うようにした。」（第３ページ右下欄第７−１４行）
　
（記載６．）「また、カード挿排口７に挿入したカード２１の残額がゼロになった場合、パンチ装置１６によりカード２１の情報書込部２２にパンチ穴を明け、情報書込部２２の解読を不能にして不正行為の防止を図ることが望ましい。」（第４頁左上欄第１−５行）
　
（記載７．）「遊技者がカード挿排口７にカード２１を挿入すると、金額表示器８に当該カード２１の残高が表示され、この金額の範囲内で金額選択操作部１０を操作すると、パチンコ機１の球排出装置４が作動して、選択した金額に対応する数の球が受皿２５に排出される。」（第４頁左上欄第１５−２０行）
　
（記載８．）「なお、上記した実施例では、カード２１に金額情報を記憶させないで中央管理装置にカード識別情報とともに記憶させることにより不正行為の発生の防止を図ったが、本発明は、これに限定されるものではなく、カード２１の情報書き込み部２２に、発行時に投入された金額、又は投入された金額と等価値の玉数とを書き込み記憶するようにしてもよい。」（第４頁右上欄第１８行−左下欄第５行）
　
（記載９．）「本発明は、パチンコ機が有する球排出装置を作動して遊技球を受皿に排出するようにしたので、球貸用の球排出装置を別個に設ける必要がなくなり設備の合理化を図ることができるし、また借り出した球をその都度球貸機から受皿に移し替える煩雑さを解消することができる。」（第４頁左下欄第１６行−右下 欄第１行）
　
以上の記載及び図面によれば、「第１引用例」には、次の発明（以下「引用発明」という）が開示されていると認めることが出来る。
「球貸中表示器とカード挿排口と金額表示器とアラーム表示器と金額選択操作部とを有し、内部にはカード読み取り装置と電気的制御装置を設けた、パチンコ機の近傍に配設した球貸機能部を有し、電気的制御装置にはカード読み取り装置、玉貸出中表示器、金額表示装置アラーム表示器及び金額選択操作部が電気的に接続されており、電気的制御装置はパチンコ機の背面に設けられた排出装置の制御装置に接続され、カードの残高が金額表示装置に表示され、カードの残額がゼロになった場合、情報書き込み部の解読を不能にして不正行為の防止を図るものであって、表示された残高金額の範囲内で金額選択操作部を操作することにより所望する金額を選択すると、電気的制御装置がパチンコ機の球排出装置を作動して、選択した金額に対応した数量の球をパチンコ機前面の受け皿に排出させる球貸装置であって、金額分の球が受け皿に排出されると、これに伴って電気的制御装置の演算手段が作動し、排出した球に相当する金額を減算し残高を金額表示器８に表示し、また中央管理装置の記憶装置内に記憶する球貸装置であって、遊戯中に打球が入賞口に入る等して入賞態様が形成されると排球装置４が賞球を排出する、球貸出排出と賞球排出とを１つの排出装置で行うようにしたものであり、球貸用の球排出装置を別個に設ける必要がなくなり設備の合理化を図ることができるようにしたパチンコ機。」
 　
（２−２）「第２引用例」
　また、当審における拒絶理由において引用した実願昭６２−１４００４７号（実開昭６４−４６０８７号）のマイクロフィルム（以下「第２引用例」という）には、図面と共に、次の事項が記載されている。
　
（記載１０．）「本考案は遊技物体貸出装置における遊技物体排出装置に関するもので、特にパチンコカードシステムに用いられるものである。」（第２頁第１５−１７行）
　
（記載１１．）「所望の遊技物体個数に対応する回転位置に達したときは前記排出部材の回転を阻止する回転阻止手段と、貨幣あるいはこれに相当する金額情報を有する媒体を受入れて金額情報を取出す金額情報収集手段と、この金額情報収集手段により得られた金額情報に応じた排出遊技物体の数に相当する回転阻止部材の阻止解除度数を記憶するとともに、実際に排出された遊技物体の数に相当する阻止解除度数を減算して記憶し、未排出度数として出力する記憶手段と、この記憶手段から取出された未排出度数にしたがって回転阻止手段の解除動作を未排出度数が０になるまで行わせる制御手段とを備えたことを特徴としている。」（第５頁第８−２０行）
　
（記載１２．）「貨幣あるいはカードの挿入により排出度数が記憶装置内に加算され、この記憶内容は阻止部材により阻止されている排出部材の阻止が解除されて回転することにより減算される。排出部材の回転が詰まりなどで停止されても記憶装置内の度数は残っているため、この度数が０になるまで阻止部材の阻止解除は行われ、所望の数だけの遊技物体が排出される。」（第６頁第２−９行）
　
（記載１３．）「ここでカードの残度数をチェックして（ステップＳ１１０）、残度数が０ならば直ちにカードを返却する（ステップＳ１２０）。これに対し、残度数が２以上であるときはカウンタに「２」を加算した（ステップＳ１１２）後、カードの残度数を「２」だけ減少させた値をカード読取書込部２７により玉貸カードに磁気記録して内容を更新するとともに玉貸カードの残金領域６の該当数字の下に黒い四角のマークをプリンタ部によりプリントし（ステップＳ１１４）、２００円分の玉の排出動作を並行して行う（ステップＳ１１６）。玉の排出動作の際、カウンタの内容は減少するが、タイムアップの４秒後にはこのカウンタ内容を表示した（ステップＳ１１８）後、カードを返却する（ステップＳ１２０。」（第１７頁第１０行−第１８頁第４行）
　
（記載１４．）「上述した例のようにカード挿入によりカウンタの内容が２となっている場合、ソレノイド５１が駆動されるとロックレバー４８が引かれる。同時に前述した表示制御用のタイマとは別のタイマがオンとされる（ステップＳ２０６）。ロックレバー４８が外れたことにより玉の自重で１０枚ギア４１および制御ギア４３が回転して玉が排出されると、検出板４６がセンサ４７から抜けた時短でセンサ４７の出力は「Ｌ」となるのでこれを確認し（ステップＳ２０８）、センサ出力が「Ｌ］となった場合にはソレノイド５１をオフとし（ステップＳ２１０）、カウンタから１を減算する。」（第１８頁第２０行−第１９頁第１２行）
　
（記載１５．）「このとき、カウンタの内容はまだ１であるため、ステップＳ２０２にもどって残りの１００円分の排出が行われることとなる。そして、２００円分の玉の排出によりロックレバー４８の突起４９と突起部４５とが係合し、センサ出力が「Ｈ］となるが、このときはカウンタの内容は０となっているため排出動作は終了する。
　このようにカウンタの値は玉の未排出度数を示しており、カウンタの値が０になるまで玉が排出されて貯留部２５に貯留される。」（第１９頁第１８行−第２０頁第７行）
　
（記載１６．）「カードを挿入する度に２００円分の度数２が記憶されることから、カードの挿入を３回繰り返せば６００円分の度数６がカウンタに記録され、ソレノイド５１が駆動されるごとに玉は貯留部２５に移動するが、」（第２０頁第１０−１５行）
　
（記載１７．）「以上実施例にもとづいて詳細に説明したように本考案によれば、未排出度数を記憶する記憶装置を有し、これに基づいて排出部材の制御を行っているので、」（第２６頁第１１〜１４行）、
　
（２−３）「第３引用例」
　また、当審における拒絶理由において引用した、実願昭６２−１５４１４６号（実開平１−５９１８３号）のマイクロフィルム（以下「第３引用例」という）には、図面と共に次の事項が記載されている。
　
（記載１８．）「本考案は、プリペイドカードを媒体としてパチンコ玉の貸出しを行うカード式球貸し機に関する。」（第２頁第１、２行）
　
（記載１９．）「カードリーダＣＰＵは、磁気ヘッド２９を作動させ、移動中のプリペイドカード５０の磁気ストライプ部５２より該カード発行時に発券機６を用いて予め磁気記憶させておいた発行年月日、店番号、発券番号データを読み込み（ステップＳ７）、これらの磁気データが正常であるか否かをデコーダ等を介して確認し（ステップＳ８）、異常が認められれば後に述べる返却処理（ステップＳ１５）を実行してこのプリペイドカード５０を返却する。又、磁気データに異常が認められなければ、次に、発行年月日、店番号、発券番号データをサンド制御ＣＰＵに送信する（ステップＳ９）。　・・・　・・・サンド制御ＣＰＵは、受信した発行年月日、店番号を、ステップ５３で記憶した正規の年月日、店番号と比較し（ステップＳ５７）、このプリペイドカード５０が有効期限内のものであり、かつ、当該パチンコ店で発行された物であるか否かを判別して該カード５０の有効性を確認する。・・・　・・・正常なものであれば・・・　・・・該島コンピュータ２に送信する（ステップＳ５９）。・・・　・・・島コンピュータ２は、ホストコンピュータ３のポーリングシーケンスに基づいてこの発券番号をホストコンピュータ３に送信する（ステップＳ１０６）。ステップＳ１５３で発券番号を受信したホストコンピュータ３は・・・　・・・事故のメモリを検索して、該発券番号に対応する残度数データを読み出して記憶し（ステップＳ１５６）、先ほどの島コンピュータ２にこの残度数を送信し（ステップＳ１５７）、ポーリングを再開する。ステップＳ１０７で残度数を受信した島コンピュータ２は、先ほどのサンド制御ＣＰＵにこの残度数を送信し（ステップＳ１０８）、サンド制御ＣＰＵのポーリングを再開する。・・・サンド制御ＣＰＵは、残土数表示窓４４に確認された残土数を表示して（ステップＳ６１）、カード利用者に残度数を明示し、度数選択スイッチ４５〜４７によって利用者がパチンコ玉貸出し度数を入力するのを待機する。」（第２０頁第１４行−第２３頁第９行）
　
（記載２０．）「指定された貸出し度数が残度数を超えていなければ、度数選択スイッチによって指定された貸出度数を玉貸し回数記憶レジスタＲ１に記憶し（ステップＳ６６、ステップＳ６８、ステップＳ７０）、又、指定された玉貸し度数が残度数を超えていれば、全残度数を玉貸回数記憶レジスタＲ１に記憶してこれらの値を玉貸し回数とするので（ステップＳ７１）、残度数が５未満であれば、度数選択スイッチ４７（度数５）を押下することにより、全残度数を玉貸し回数とすることができる。」（第２４頁第１−１１行）
　
（記載２１．）「第８図に示される玉払出処理において、サンド制御ＣＰＵはまず、玉計測部３９に設けられた玉貸出しソレノイドを作動させ（ステップＳ２０１）、パチンコ玉の貸出しを開始し、玉計測部３９に設けられた玉貸出し確認スイッチがＯＮとなるまで玉貸出しソレノイドの作動状態を保持する（ステップＳ２０２）。そして、玉貸出し確認スイッチがＯＮとなると、１度数に対応するパチンコ玉の貸出しが終了するので、玉貸出しソレノイドをＯＦＦとして（ステップＳ２０３）、玉貸し回数記憶レジスタＲ１から１を減じ（ステップＳ２０４）、次にレジスタＲ１の値が０であるか否かを判別し（ステップＳ２０５）、０でなければ再びステップＳ２０１に復帰して１度数に対応するパチンコ玉の貸出しを実行し、ステップＳ２０５でレジスタＲ１の値が０となり、玉貸し回数が設定値に達するまでステップＳ２０１−ステップＳ２０２−ステップＳ２０３−ステップＳ２０４−ステップＳ２０５−ステップＳ２０１の処理を繰り返し、一連の動作として玉の貸出しを実行する。」（第２６頁第１３行−第２７頁第１３行）
　
（２−４）「第４引用例」
　また、当審における拒絶理由において引用した特開昭６１−８５９７４号公報（以下「第４引用例」という）には、図面と共に次の事項が記載されている。
　
（記載２２．）「本発明は、パチンコ玉の貸出しに磁気カードなどのカードを利用するようにしたパチンコ玉貸出しシステムに関するものである。」（第１ページ左下欄第１０−１２行）
　
（記載２３．）「使用者がパチンコ玉をほしい時には、カードを玉貸出し機２のカード投入返却口１７へ投入すると共に、玉数指定キー１９の操作によりほしい玉数を指定する。玉貸出し機２のカード投入返却口１７にカードが投入されると、カードセンサ２２がカードに記録された選別コード及び貸出可能玉数を読み取り、マイクロプロセッサ２３は選別コードから投入カードが適正なものかどうかを判別する。不適正であれば、カード返却手段２６を動作させ、投入カードをカード投入返却口１７から戻す。適正なカードであれば、カードセンサ２２が読み取った記録玉数を貸出可能玉数表示器１８に表示させる。記録玉数が０の場合には、表示をクリアして動作を終了する。記録玉数が０でない場合には、マイクロプロセッサ２３は使用者により指定された玉数を読み取り、その玉数とカードに記録された玉数とを比較する。指定玉数が記録玉数以下であれば、即ち指定玉数が貸し出せる場合には、玉貸出し手段２４を動作させ、玉貸し皿２１に指定された数の玉を搬出する。指定玉数が記録玉数より多い場合には、玉数指定キー１９を点滅表示させるなどによって使用者に玉数の指定をやりなおしてもらう。」（第２頁左下欄第１５行−右下欄第１７行）
　
（記載２４．）「残り玉数が０でない場合には、カード書込手段２５が動作して、カードに記録された玉数を残り玉数に書き直す。」（第３ページ左上欄第１−３行）
　
（２−５）「第５引用例」
　また、当審における拒絶理由（２９条２項）において引用した特開平１−２２１１８７号公報（以下「第５引用例」という）には、図面と共に次の事項が記載されている。
　
（記載２５．）「本発明は、所定の遊技用情報が記憶された遊技券を利用して遊技を行うようにしたパチンコ台を管理するためのパチンコ台管理システム、特には上記のようなパチンコ台の打止状態の管理を行なうためのパチンコ台管理システムに関する。」（第１頁右下欄第１１−１５行）
　
（記載２６．）「第３図には前記発券機６の正面外観が示されている。この第３図において、２２は紙幣を挿入するための挿入口、２３は硬貨を投入するための投入口、２４は金額表示部で、この金額表示部２４は、挿入口２２及び投入口２３を介した投入金額の合計をデジタル表示するように構成されている。２５，２６，２７．２８は後述する遊技券２９に記憶させる金額情報ＭＤを入力するための選択ボタンで、これらには夫々例えば「５００（円）」、「１０００（円）」、「２０００（円）」、「３０００（円）」の各表示が施されている。」（第４頁左下欄第２０行−右下欄第１０行）
　
（記載２７．）「第５図には、遊技制御装置５を構成する各要素及びパチンコ台１並びに球貸機３５の配置関係が示されており、以下これについて説明する。
　即ち、球貸機３５は、２台ずつのパチンコ台１の各間に夫々と隣接するように配置された所謂台間球貸機として構成されたもので、隣接するパチンコ台１に夫々対応した遊技制御装置５によって制御されるようになっている。斯かる球貸機３５には、その前面にパチンコ玉放出口３６、例えば赤色ＬＥＤより成る異常表示灯・・・・・・遊技制御装置５により後述のように指令された数のパチンコ玉をパチンコ玉放出口３６から放出するように構成されている。」（第７頁左上欄第１３行−右上欄第１１行）
　
（記載２８．）「遊技制御装置５は、パチンコ台１の上方位置に一列状に配置されたカード挿入口３９、カード返却スイッチ４０ａ、例えば３個のセレクトスイッチ４０ｂ〜４０ｄ及び残高表示部４１を有すると共に、内部には第６図に示すような回路要素が設けられている。尚、上記セレクトスイッチ４０ａ、４０ｂ、４０ｃには、夫々に対応して例えば「１００円」「２００円」「４００円」の各表示が施されている。」（第７頁右上欄第１２−２０行）
　
（記載２９．）「さて、第６図において、４２は打ち止め解除手段としても機能する玉貸制御回路であり、これはマイクロコンピュータを含んで構成されている。・・・　・・・そして、玉貸制御装置４２は、カードリーダ４４による読み込み情報、前記カード返却スイッチ４０ａ及びセレクトスイッチ４０ｂ〜４０ｄからのオン信号、前記集中管理装置７から与えられる選択信号Ｓｋ、打止保持信号Ｓｄ及び予め記憶したプログラムに基づいて、玉貸機３５、残高表示部４１、カード出し入れ装置４３、カードライタ４５、信号発生回路４６等を制御するものであり、これにより遊技制御装置５は大略第７図に示すように機能する。
以下においては第７図に示された遊技制御装置５の機能の大略について説明する。即ち、まずカード挿入口３９に遊技券２９が挿入された否かを判断し（ステップＢ１）、遊技券２９が挿入されるまで待機する。・・・　・・・遊技券２９が挿入されたときには、遊技券２９を挿入状態に保持すると共に、その遊技券２９に記憶された情報を読み取る（ステップＢ２、Ｂ３）。・・・その遊技券を返却し（ステップＢ５）・・・　・・・「ＮＯ」と判断した場合には遊技券２９を返却する前記ステップＢ５を経てステップＢ１へ戻る。・・・　・・・ステップＢ７で「ＮＯ」と判断した場合、つまりパチンコ台１が遊技可能な状態にある場合には、前記ステップＢ３で読み取った遊技券２９の金額情報ＭＤに基づいて、その情報ＭＤに対応した残高金額を残高表示部４１に表示させる（ステップＢ８）。次いで、上記残高金額があるか否かを判断し（ステップＢ９）、残高金額つまり金額情報ＭＤが零であった場合には、前記ステップＢ５を経てステップＢ１へ戻る。」（第７頁右下欄第１行−第８頁左上欄第１７行）
　
（記載３０．）「また、カード返却スイッチ４０ａがオンされることなくセレクトスイッチ４０ｂ〜４０ｄの何れかがオン操作されたときには、遊技券２９に記憶された金額情報ＭＤを所定金額分減額するように書換え（ステップＢ１２）、球貸機３５内の図示しないパチンコ玉供給機構に対して上記減額金額に相当した数のパチンコ玉を放出するように指令を与える（ステップＢ１３）。」（第８頁右上欄第４−１１行）
　
（記載３１．）「尚、２台の遊技制御装置５に対応した設けられた玉貸機３５は、一方の遊技制御装置５からの指令によってパチンコ玉の放出を行なっているときには、他方の遊技制御装置５に対してビジー信号Ｓｂ（第６図参照）を出力するようになっており、遊技制御装置５にあっては上記ビジー信号Ｓｂが消失するまでパチンコ玉放出指令の出力を待機するようになっている。」（第９頁左上欄第２−１０行）
　
（２−６）「第６引用例」
　また、当審における拒絶理由において引用した特開平１−２８０４８９号公報（以下「第６引用例」という）には、以下の記載がある。
　
（記載３２．）「本発明はパチンコ遊戯装置に関し、更に詳しくはカードに付されたカード情報を基にしてパチンコ遊戯を実行するパチンコ遊戯装置に関するものである。」（第１頁右下欄第１５−１８行）
　
（記載３３．）「［本発明の構成］（前記問題を解決するための手段）本発明の装置は、遊戯情報を取込んでパチンコ玉による遊戯を実行するとともに、遊戯状態に応じた遊戯状態情報を送出するパチンコ機本体を備えたパチンコ遊戯装置であって、カードに付されたカード情報を基にパチンコ機本体に送る遊戯情報を得るとともにパチンコ機本体からの遊戯状態情報を得て前記カード情報の書替えを行うカード取扱部と、前記カードから得られる遊戯情報及びパチンコ機本体からの遊戯状態情報を伝達可能な遊戯情報伝達部と、前記カード取扱部、遊戯情報伝達部及びパチンコ機本体間の情報伝達を行う制御部とを有するものである。」（第２頁右上欄第１３行−左下欄第６行）
　
（記載３４．）「（作用）　以下に上記構成の装置の作用を説明する。　この装置にカード情報が付されたカードが投入されると、カード取扱部はこのカードのカード情報を基に遊戯情報を得る。この遊戯情報は制御部によりパチンコ機本体に送られ、これにより、パチンコ機本体はパチンコ玉の貸出をはじめとする各動作を実行するとともに遊戯状態に応じた遊戯状態情報を送出する。　制御部は、パチンコ機本体からの遊戯状態情報及び前記遊戯情報を遊戯情報伝達部に送る。これにより、遊戯情報伝達部から遊戯状態情報及び遊戯情報が遊戯者等に伝達される。　また、制御部はパチンコ機本体からの遊戯状態情報をカード取扱部に送る。カード取扱部は、上記遊戯状態情報を基にカード情報を書替え、以降の使用に供する。」（第２頁左下欄第７行−右下欄第３行）
　
（記載３５．）「第１図及び第２図（ａ），（ｂ）は本発明の第１の実施例装置を示すものである。同図に示すパチンコ遊戯装置１は、パチンコ機本体２と、このパチンコ機本体２の下側部に一体的に組込まれたパチンコ機操作部３とを具備している。　前記パチンコ機本体２は、第２図（ａ）に示すように透明ガラス板４の内部に遊戯面５を設けるとともにこの透明ガラス板４の下方にパチンコ玉収容部６を設け、このパチンコ玉収容部６にパチンコ玉を後述する動作により自動的に貸出すようになっている。　前記パチンコ機操作部３の表面は、添付した図面の第２図（ｂ）に示すように下側に至るほど張り出す傾斜配置に形成されている。そして、このパチンコ機操作部３に操作ハンドル７、後述するカード取扱部１１を構成するカード挿脱孔８及び遊戯情報伝達部１２を構成する表示部９、音声発生部であるスピーカ１０を配置している。」（第２頁右下欄第７行−第３ページ左上欄第５行）
　
（記載３６．）「第２図はパチンコ遊戯装置１の全体構成を示すものである。即ち、前記したパチンコ機本体２には、パチンコ機操作部３から玉数データ等の遊戯情報を取込みこのパチンコ機本体２によるパチンコ玉の自動貸出を始めとするパチンコ遊戯を実行するとともに、パチンコ機本体２の遊戯状態に応じて故障情報、打ち止め情報、使用玉数データ等の遊戯状態情報をパチンコ機操作部３に送出する本体駆動制御部１３が設けられている。
　また、前記パチンコ機操作部３は、予めパチンコ機本体２の動作制御やこのパチンコ機操作部３の各部の動作制御を行うためのプログラムを格納したプログラムメモリ１４と、このプログラムメモリ１４から前記プログラムを取込みこのプログラムに従って該パチンコ機操作部３の各部の制御を実行するとともに、本体駆動制御部１３との間の情報伝達をも行うＣＰＵ１５とから成る制御部１６を有し、この制御部１６に前記カード取扱部１１、遊戯情報伝達部１２及び操作ハンドル７を接続している。
カード取扱部１１は、パチンコ遊戯のための玉数データ等の情報が予め書込まれているカードＣを前記カード挿脱孔８から取込むとともに必要に応じてこのカードＣをカード挿脱孔８に返却するカード駆動部１７と、カード駆動部１７により駆動されるカードＣに対してカード情報の読取りを行い遊戯情報（玉数データ等）を得ると共に、遊戯終了時点で本体駆動部１３からの遊戯状態情報を基にカードＣの情報を書替えるカード読取書込部１８とを具備している。」（第３ページ左上欄第６行−右上欄第１５行）
　
（記載３７．）「パチンコ遊戯を行う遊戯者が予め購入したカードＣをカード挿脱孔８に挿入すると、この装置は動作を開始し、カード駆動部１７はＣＰＵ１５による制御の基にカードＣを装置内に取込む。そして、カード読取り部１８はＣＰＵ１５による制御の基にカードＣに付された情報を読取り、玉数データ等の遊戯情報を得る。　この遊戯情報はＣＰＵ１５を経て本体駆動制御部１３に送られ、これにより、本体駆動制御部１３によるパチンコ玉収容部６への自動的な玉貸出を始めとするパチンコ遊戯が開始される。　そして、遊戯者が操作ハンドル７を操作することによりこの装置におけるパチンコ遊戯が進行する。　パチンコ機本体２の本体駆動制御装部１３は、パチンコ遊戯の進行に伴う遊戯状態情報、例えば玉数データ、パチンコ機本体２の故障情報、打止情報等をＣＰＵ１５へ送る。」（第３ページ左下欄第５行右下欄第２行）
　
（記載３８．）「次に、本発明の第２の実施例を第３図を参照して説明する。なお、同図に示す装置１Ａにおいて第２図（ａ）に示す装置１と同一の機能を有するものには同一の符号を付し、その詳細な説明は省略する。　第３図に示す装置１Ａが第２図（ａ）に示す装置１と異なる点は、パチンコ機操作部３Ａをパチンコ機本体２とは別体のユニットとしたことである。　即ち、第２図（ａ）に示す装置１の操作ハンドル７を除くカード挿脱孔８，スピーカ９及び表示部１０を表面に設け、且つ、第１図に示す構成を有するパチンコ機操作部３Ａをパチンコ機本体２の上部に別体として配置したものである。　このような構成の装置１Ａによっても既述したパチンコ遊戯装置１と同様な機能を発揮させることができる。」
　
以上の記載によれば、第６引用例には、つぎの発明（以下「引用発明６」という）が記載されている。ここにおいて、第６引用例の図面は、発明の詳細な説明の記載と対応していないが、図面がむしろ全体として誤って添付されていると解しうることは当業者には明白であるから、発明の詳細な説明のみによって以下の認定は可能であり、図面の存在はこの認定を否定するものではない。
　
「引用発明６」
「カード情報が付されたカードが投入されるとカード情報を基に遊技情報を得るカード取扱部と、この遊技情報が制御部によりパチンコ機本体に送られるとパチンコ機本体が玉貸しを始めとする各動作を実行し、パチンコ機本体は制御部に遊技状態情報を伝達し、制御部はカード取扱部に遊技情報を送りカード取り扱い部は送られた遊技情報を基にカード情報を書き替え以降の使用に供するという動作をするパチンコ遊戯装置であって、
パチンコ機本体２及びパチンコ機本体とは別体のユニットとしたパチンコ機操作部３Ａとからなり、
パチンコ機本体２には、本体駆動制御部１３が設けられており、ＣＰＵ１５を経て遊戯情報を送られることにより、本体駆動制御部１３によるパチンコ玉収容部６への自動的な玉貸出を始めとするパチンコ遊戯が開始され、本体駆動制御部１３は遊戯状態に応じて使用玉数データ等の遊戯状態情報をパチンコ機操作部３に送出し本体駆動制御部１３は玉数データ等をＣＰＵ１５に送り、
パチンコ機操作部３は、パチンコ機本体２の制御やパチンコ機操作部３の各部の動作制御を行うためのプログラムを格納したプログラムメモリ１４と、プログラムにしたがってパチンコ機操作部３の各部の制御を実行するとともに本体駆動制御部１３との情報伝達をも行うＣＰＵ１５とからなる制御部１６を有し、この制御部１６にカード取扱部１１、遊戯情報伝達部１２及び操作ハンドル７が接続され、カード取扱部１１が得た玉数データ等の遊戯情報はＣＰＵ１５を経て本体駆動制御部１３に送られ、これにより、玉収容部６への自動的な玉貸出を始めとするパチンコ遊戯が開始される、パチンコ遊戯装置における制御部１６。」
　
（２−７）「第７引用例」
　また、当審における拒絶理由において引用した、特開昭６３−３０９２８７号公報（以下「第７引用例」という）には、図面と共に次の事項が記載されている。
　
（記載３９．）「本発明はパチンコ機あるいはアレンジボール、スロットマシン等の遊技機を用いた遊技システムに関し、特に金銭と交換されたカードによって遊技が可能と成るようにされた遊技システムに利用して有効な技術に関する。」（第１ページ右下欄第９−１３行）
　
（記載４０．）「従来提案されているカード式パチンコ遊技システムには、大きく分けると次の２つの方式がある。　第１の方式は、カードの発行に際して購入金額に対応した持玉数データをカードに記憶し、この持ち玉数データの範囲内でパチンコ遊技を行ない、遊技過程において増減した持玉数データをカードに記憶するというものである（特公昭４７−４２２２７号参照）。　カード方式の第２の方式は、持ち玉購入の際にコード番号だけを記録したカードを発行し、持玉数は集中管理装置のメモリにテーブルの形で記憶し、カードをパチンコ機のカード読取装置に挿入するか、あるいはパチンコ機に設けられたテンキーを使って遊技客がコード番号を入力することによって記憶された持ち玉数を呼び出して遊技を行なえるようにするものである（実公昭６１−３２７０９号、特開昭５５−１６６０８号参照）（第１頁右下欄末行−第２頁左上欄第１７行）
　
（２−８）「第８引用例」
　また、当審における拒絶理由において引用した特開昭６３−１９２４７７号公報（以下「第８引用例」という）には、図面と共に次の事項が記載されている。
　
（記載４１．）「ところで、最近のパチンコホールでは、パチンコ機が並べられた島台上に、通常２台のパチンコ機に対して１台の割合で薄型の玉貸機が並設されており、遊技者は自分が遊技を使用とするパチンコ機の前に座った状態で玉貸機から玉を借りることができるようになっている。　しかしながら、かかる場合においても、薄型の玉貸機に硬貨を投入し、それに応じて貸し出されるパチンコ玉を片手または両手で受止め、それをパチンコ機の打球待機樋へ移さなければならない。このような玉を借りるための作業は不便であり、できれば、玉貸機への硬貨の投入に応じて、貸し出されるパチンコ玉が自動的に打球待機樋へ流れ出るようにすれば便利であろう。　それゆえに、この発明は、上記の問題点を解消するようなパチンコ機その他の弾球遊技機の景品玉払出装置を提供することを目的としている。」（第２頁左上欄第15行−右上欄第１１行）
　
（記載４２．）「第８図を参照して、景品玉払出装置４２の駆動制御回路は、たとえばマイクロコンピュータを中心に構成された中央処理装置１０８を備える。なお中央処理装置１０８は、ディスクリートな論理回路によって構成してもよい。　中央処理装置１０８には、制御判定部１０９と記憶部１１０とが含まれている。中央処理装置１０８には、上述した各入賞口に個別に設けられた入賞玉検出器８２，８４，８６，８８，９０，９８または共通的に入賞玉検出器１０４からの入賞玉検出信号および各始動入賞玉検出器９２，９４，９６からの始動入賞玉検出信号が与えられる。また、景品玉払出装置４２の景品玉検出器７４の検出出力が与えられる。」（第５頁右上欄第２−１５行）
　
（記載４３．）「第９図は、この発明の一実施例が適用された他のパチンコ機１３０の正面図である。ここに示すパチンコ機１３０の特徴は、通常のパチンコ機に、玉貸機の機能を付加したことである。」（第６頁右上欄第１５−１８行）
　
（記載４４．）「このパチンコ機１３０における景品玉払出装置４２の駆動制御回路が、第１１図に示されている。第１１図の駆動回路も、第８図で説明したパチンコ機１０の駆動制御回路とほぼ同様である。ただ、次の点が異なっている。　すなわち、第１１図の駆動制御回路は、景品玉払出装置４２が、景品玉払出動作の他に、玉貸し時における貸出玉の払出動作も兼用するように制御する。　詳しく言うと、硬貨判別機１５０および紙幣判別機１５２の出力が中央処理装置１０８へ与えられると、中央処理装置１０８は駆動モータ６８の駆動を開始する。よって、景品玉貯留タンク４０内に貯留されたパチンコ玉の払出しが開始する。」（第６頁右下欄第５−１７行）
　
　　
３．対比・判断
３−１．対比
  「本願発明１」と「引用発明」とを対比すると、後者の「パチンコ機の球排出装置」は「遊戯中に打球が入賞口に入る等して入賞態様が形成されると排球装置４が賞球を排出する、球貸出排出と賞球排出とを１つの排出装置で行うようにしたものであり、球貸用の球排出装置を別個に設ける必要がなくなり」というものであり、図面からもわかるようにパチンコ機背面に設けられているから、前者の、パチンコ機の「背面に設けられた」、「賞球および貸出球の排出装置」に相当する。
　また、後者の「金額選択操作部」は前者の「球貸スイッチ」に相当し、後者の「カード読み取り装置」は、カードに記録された情報の読み取りができる点において前者の「カードリードライター」に対応する。
　また、後者の「排出装置の制御装置」は、球排出装置を制御するものであるのだから、前者における球排出装置を制御するものである「本体制御装置」と、「球排出装置を制御する制御装置」すなわち「球排出制御装置」である点において対応する。
　さらに、後者における「電気的制御装置」は、カード読み取り装置及び金額選択操作部が電気的に接続されていて、パチンコ機の球排出装置の制御装置に接続され、パチンコ機の球排出装置を作動させるものであるのだから、前者の「リードライター制御装置」に対応するものである。
　また、後者における「電気的制御装置」は、「球排出装置を制御する制御装置」すなわち「球排出制御装置」に接続されていて、球排出装置を作動させて貸球を排出させているのであるから、「球排出制御装置」に「球貸要求信号」を送信しているといえる。
　
　よって、両者は、
「入賞口への入賞球に基づく賞球および球貸スイッチの操作に基づく貸出球の排出装置を作動させる球排出制御装置とリードライター制御装置とを、該両装置間で信号が送られ、パチンコ機背面に設けられた前記排出装置から貸出球の排出を行うように電気的に接続したパチンコ機であって、リードライター制御装置にはカードリードライタ及び球貸スイッチが接続され、球貸スイッチを操作するとリードライター制御装置がカードの残額に応じて球貸要求信号を球排出制御装置に送信して球排出装置が貸出球を排出するようにしたパチンコ機」
である点において一致し、
　
（相違点１）「カードの残額」及び「カードリードライタ」に関し、
「本願発明１」においては、「残金が記憶されたカード」であるのだから、カード残額はカードに記憶され、「カードリードライター」は読み取り及び書き込みを行うものであるのに対し、
「引用発明」においては、カードに記憶されるのは「識別情報」及び「カード発行時」のカード残額であって、球貸し後の「カードの残額」は「カード識別情報」に対応した中央管理装置の記憶装置内に記録され、カードリードライタは「カード読み取り」を行うものの書き込みをおこなうかどうかは不明である点、
　
（相違点２）「リードライタ制御装置」の「球貸し要求信号」の送信に関し、
「本願発明１」では
「球貸スイッチをオンとすることで記憶されている球貸記憶数情報、前記カードリードライターにより読み取られた前記カードの残金及び貸出球の排出中でないことを確認後、球貸要求信号の送信を行った後、前記球貸記憶数情報及びカードの残金の数値が減算されるリードライター制御装置から送信される球貸要求信号」を「本体制御装置」が「受信することにより、前記排出装置を作動させて前記貸出球の排出を行い」
であるのに対し、
「引用発明」では球貸スイッチに相当する「金額選択操作部」を操作することにより「カードの残高金額の範囲内で」所望の金額を選択すると、リードライター制御装置に相当する「電気的制御装置」が球貸要求信号を「球排出制御装置」に送信して球排出装置が貸し出し球を排出し、「排出した球に相当する金額を減算」するものの、カードの残金確認、貸出球の排出中でないことの確認、「球貸記憶数」の確認及び減算については不明な点、
　
（相違点３）「球排出制御装置」が「本願発明１」では「本体制御装置」であるのに対し、「引用発明」では「パチンコ機の球排出装置の制御装置」である点、
　
（相違点４）「リードライター制御装置」と「球排出制御装置」とが、
「本願発明１」においては、
「交信可能に接続」され、「本体制御装置は、」「排出終了後に前記リードライター制御装置へ貸出球の排出が終了したことを送信する」のに対し、
「引用発明」においては、
「リードライター制御装置」に相当する「電気的制御装置」は、「球排出制御装置」に相当する「パチンコ機の球排出装置の制御装置」と「電気的に接続」し、「金額分の球が受け皿に排出されると、これに伴って電気的制御装置の演算手段が作動し、排出した球に相当する金額を減算し残高を金額表示器８に表示」する、
とされているにすぎない点、
　
において相違する。
　
３−２．判断
（相違点１について）
カード式の球貸装置であって、カードに記録された残額データを読み出しまたカードに変更後の残額データを書込む、従ってカードにデータを書込む機能を有するものは、上記第２引用例（実願昭６２−１４００４７号（実開昭６４−４６０８７号）のマイクロフィルム）記載１３、第４引用例（特開昭６１−８５９７４号公報）記載２３、２４、第５引用例（特開平１−２２１１８７号公報）記載２９、３０、第７引例（特開昭６３−３０９２８７号公報）記載４０にみられるように周知である。
「引用発明」が記載された第１引用例（特開昭６３−１０２７８３号公報）においても、上記記載４には、球貸後の残額データを中央管理装置に記憶することが記載され、上記記載８には「カード残額」をカード自体に記録することは記載されていないものの、「発行時に投入された金額、又は投入された金額と等価値の玉数」という「金額情報」を中央管理装置に記録することに替えてカード自体に記録する、という点は記載されている。
「引用発明」におけるこの「金額情報」は、球貸しによりカードの残額が減少した結果である「残額データ」ではなく、カードの発行当初の「残額データ」に相当するものであるが、「残額データ」をカード自体に記録するということが、上記のように周知なのであり、カードに記録するか集中管理装置に記録するかは適宜利害得失を勘案して選択できるものであることは上記第７引用例記載４０にも示されるようによく知られていることであるから、第１引用例において、発行当初のみでなく残額が減少した結果の「残額データ」の記憶をも、中央管理装置に記憶することに替えてカード自体に記憶するようにすることは、第１引用例に対して同じ技術分野であるカード式球貸し装置における周知技術を単に適用したにすぎず、適宜なしうることである。
よって、相違点１は当業者が適宜なし得る程度の事項に過ぎない。
　
（相違点２について）
　「本願発明１」における「球貸記憶数」とは、「球貸スイッチをオンとすることで記憶されている」（請求項１の記載）ものである。
　そして、「球貸記憶数」は、当初は０であって、球貸スイッチが作動している場合に、１加算されるものである（段落番号００２１の記載：「・・・次のステップ６に進み球貸スイッチ４１が作動しているかを判定する。そして、ステップ６の判定がイエスであればステップ７に進み枠開放検出スイッチ２５が作動しているかどうかを判定する。ガラス枠１８等が閉じた状態（ノウ）であれば球貸出しの条件が整うので、球貸記憶の記憶数（球貸記憶の数値、すなわち球貸記憶数、当初は０）を加算するステップ８を通ってステップＡ１（図７）へ進む。」）。
　
　「本願発明１」の「カードリードライターにより読み取られた前記カードの残金を確認後、球貸要求信号の送信を行った後」なる事項は、段落番号００２２に「次に、本体制御装置37からの信号の有無と残金の有無をチェックしてＢＢコールを送信する手順を述べる。図７に示すステップＡ１ではビジー信号の受信の有無を判定する。受信していない場合（ノウ）であれば、ステップＡ２において球貸記憶減算要求信号の受信の有無を判定しステップＡ３では残金減算要求信号の受信の有無を判定する。ここで両信号が受信されていなければステップＡ４でカードの金額データの残高の有無を判定する。そして、残高があればステップＡ５において球貸記憶の有無のチェックをする。球貸記憶が有ればステップＡ６において再度ビジー信号を受信しているかどうかを確認し、受信していない（ノウ）のであればステップＡ７においてＢＢコールを発生させる。なお、ステップＡ２において球貸記憶減算要求信号が受信されていればステップＡ８に進み球貸記憶の数値（前記球貸記憶数）を１減算してステップＡ３に合流する。」と記載されている。
　しかしながら、ビジー信号についての要件は「本願発明１」に含まれておらず、図６をみても球貸スイッチがＯＮであると記憶数に１を加えていることからみて、要するにカード残金があることを、球貸要求信号のことである「ＢＢコール」の発生条件とする、ということを意味している。
　
　これに対して、球貸用の残額があることを条件に球貸動作を行わせる、という程度の事項は、「引用発明」においても「カードの残額がゼロになった場合、情報書き込み部の解読を不能にして不正行為の防止を図るものであって、表示された残高金額の範囲内で金額選択操作部を操作することにより所望する金額を選択すると、電気的制御装置がパチンコ機の球排出装置を作動して、選択した金額に対応した数量の球をパチンコ機前面の受け皿に排出させる」のであって、カード残額がゼロであると球排出はおこなわれず、残高の範囲内で球排出がおこなわれるのであり、「本願発明１」は「確認」なる限定が付されているのみであるから構成上の特徴は格別存在せず、球排出装置を作動させるものである球貸要求信号の発生条件としてカード残額があること、という程度の限定であるから、この点に格別の想到困難性は認められない。
　
　「球貸記憶数情報」については、「球貸記憶数」が、上記段落番号００２２の記載によって裏付けられるものであるのだから、このような数を用いた球排出制御は、すなわち、カード式の球貸装置において、貸球排出を一定単位の排出度数の増減で制御することは、上記第２引用例、第３引用例にみられるように周知の手法である。
　
　即ち、第２引用例記載のものは、「カードの挿入により排出度数が記憶装置内に加算され、この記憶内容は阻止部材により阻止されている排出部材の阻止が解除されて回転することにより減算される。」（上記記載１２）そして、「実際に排出された遊技物体の数に相当する阻止解除度数を減算して記憶し、未排出度数として出力する記憶手段と、この記憶手段から取出された未排出度数にしたがって回転阻止手段の解除動作を未排出度数が０になるまで行わせる」（上記記載１１）ことによる「遊技物体の貸出装置」であり、上記記載１６が示すように、「カードの挿入」は所望の金額分の貸出を求める操作であるから、「本願発明１」における球貸スイッチの操作に相当し、第２引用例記載の発明の「カウンタの値」が「本願発明」の「球貸記憶数」に相当する。
　また、第３引用例記載のものは、カード利用者が度数選択スイッチによって貸出度数を入力し、その度数が回数記憶レジスタに記憶され、レジスタの値を球貸ソレノイドの作動により１度数に対応する貸出が終了すると１減じ、レジスタの値が０であるか否かを判別し、０となるまで１度数に対応するパチンコ玉の貸出を繰り返すのであるから、第３引用例記載の発明の「度数選択スイッチ」は「本願発明１」の「球貸スイッチ」に、また「球貸し回数記憶レジスタ」の記憶値が「球貸記憶数」に相当する。
　
すなわち、第２、３引用例記載のものは、ともに貸出を求める操作の回数を記憶し記憶値に基づいて排出動作を行うのであり、排出動作を行うということは、排出装置に何らかの信号を与えている筈であるから、「引用発明」における「球貸要求信号」を排出装置に送信することに対応することは当業者には明らかなことである。
また、これらのものは、排出動作をおこなうと記憶値を減算している。
よって、「本願発明１」の「球貸スイッチをオンとすることで記憶されている球貸記憶数情報」が存在すること、「球貸記憶数情報を確認後」に「球貸要求信号の送信を行う」こと、「球排出を制御する制御装置」が「球貸要求信号」を受信すること、及び「球貸要求信号の送信を行った後、球貸記憶数情報を減算」することは上記第２、第３引用例にみられるような周知技術を「引用発明」に適用し、周知技術の有する作用効果を奏させようとしたにすぎない。
　
　「貸出球の排出中でないことを確認後、球貸要求信号の送信」を行うとしている点は、一般に動作要求をその動作中の装置に送信しても意味がないから、動作要求を一旦記憶したり、要求の送信を禁じたりする等の手法が技術常識であり、「本願発明１」は、ビジー信号についての要件が含まれておらず、下記の（相違点４）についての判断でも論じるように、この技術常識と異なる格別の構成を有していないのだから、想到するに格別困難はない。
　
よって、当業者であれば、これら周知手法の適用に格別の困難はないから、相違点２も格別のものではない。
　
（相違点３について）
　「本願発明１」における「本体制御装置」は、「球排出装置を制御する」ものであると請求項１には記載されている。
この「本体制御装置」が「パチンコ機本体の制御をおこなう制御装置」という意味を有するとしても、「引用発明」における「パチンコ機の球排出装置の制御装置」と「球排出を制御する」ものである点において変わりはなく、玉排出制御以外の「本体」についての制御に関して、「本体制御装置」であることによる構成上の特徴は格別限定されていないから、「引用発明」との相違は格別のものではない。
また、周知例としての第８引用例には、「通常のパチンコ機に、玉貸機の機能を付加した」（記載４３）ものであって、「景品玉払出装置４２が、景品玉払出動作の他に、玉貸し時における貸出玉の払出動作も兼用するように制御する」（記載４４）ものが開示されている。第８引用例のものは、カード式玉貸機機能ではないが「硬貨判別機１５０および紙幣判別機１５２の出力が中央処理装置１０８へ与えられると、中央処理装置１０８は駆動モータ６８の駆動を開始する。よって景品玉貯留タンク４０内に貯留されたパチンコ玉の払出が開始する。」（記載４４）ものであり、プリペイドカードが玉貸しにおいては硬貨または紙幣に相当するものであることは技術常識であるから、通常のパチンコ機の制御装置である「本体制御装置」に玉貸機機能であるカード読み取り結果の玉貸し要求信号を送信する、という程度の事項は、通常のパチンコ機に玉貸機の機能を付加する、という周知事項の付加程度の事項である。
　
よって、相違点３に格別の想到困難性は認められない。
　
（相違点４について）
　「本願発明１」における「交信可能」は、「リードライター制御装置」から「本体制御装置」に「球貸要求信号」が「送信」され、「本体制御装置」から「リードライター制御装置」に「排出終了後」に「貸出球の排出が終了したことを送信する」、ということを意味している。
　
　これに対して、第３引用例記載のものは、「サンド制御ＣＰＵが球貸出しソレノイドの作動を球貸出し確認スイッチがＯＮとなるまで継続させ、ＯＮ信号を受けたら球貸回数記憶レジスタから１を減じている」（上記記載２１．）のであるから、「球貸記憶数レジスタ」は、球貸出確認スイッチからのＯＮ信号を受けている。
　即ち、リードライター制御装置に相当するサンド制御ＣＰＵが、球排出装置からの信号を受けて球貸回数記憶レジスタから１を減ずる動作を行うことは、排出装置に指令を発し、排出装置から信号を受けるのであるから信号のやりとりを排出装置との間で行っており、「本願発明」における「交信」と格別異ならない。
　
　一般に、動作を要求する装置からの要求に基づいて動作する装置に、要求信号を送信し、その要求に基づく動作をおこなった装置が要求した装置に動作完了の信号を返信することは、広く行われている事項であり、パチンコ機分野における上記第３引用例のものもその一例である。
　
「本願発明」において、「リードライター制御装置」は、「貸出球の排出中でないことを確認後」球貸要求信号を送信するとしているが、「本体制御装置」からは、「排出が終了したことを送信する」のみであって、「球貸中でないことを確認」するための構成は格別限定されていない。
　そして、「本願発明１」における「交信」は「球貸要求信号」および「貸出球の排出が終了したことの送信」以外に格別内容を特定していないのであるから、この一般的技術と格別異なることなることはなく、相違点４は、当業者であれば適宜に採用しうる程度の構成である。
　
よってカード式の球貸装置の、球排出装置がパチンコ機に設けられているものである「引用発明」において、カードリードライターを制御する制御装置と球排出装置を制御する制御装置とを「交信可能に接続」することは、当業者の適宜になし得た程度の事項である。
　
さらに、上記「引用発明６」においても、玉払出動作を制御している本体制御装置２と、カードの読み取り書き込みを制御している制御部１６とは、上記記載３７が示すように制御部１６のＣＰＵ１５から本体駆動制御部１３に「遊戯情報」が送られ、本体駆動制御部１３は制御部１６のＣＰＵ１５に「遊技の進行に伴う遊技状態情報」を送っているから、制御部１６と本体駆動制御部１３とは「交信可能に」接続されているといえるものであり、上記記載３８に示すようにパチンコ機本体２と別体のユニットとしたものも、パチンコ機操作部３Ａとの関係は図面からは把握できないにしても、カード式の玉貸機機能を有するパチンコ機において、カードの取扱を制御する制御部と本体制御部とが、別体のユニットとされて互いに交信可能に接続されている点は明らかである。
　
効果についても、上記相違点１〜４によりもたらされる効果は、上記各引用例から予想される範囲内のものである。
　
４．「本願発明１」についての判断
  以上のとおりであるから、「本願発明１」は、上記「第１〜８引用例」に記載された発明に基いて、当業者が容易に発明をすることができたと認められ、特許法第２９条第２項の規定により特許を受けることができない。
　
５．むすび
　以上のとおりであるから、「本願発明１」は、特許法第２９条第２項の規定により、特許をうけることができないものである。
　よって、結論のとおりに審決する。